(57)【要約】【課題】  キャップの適正な締め付け状態を目視によって簡単に識別することのできる位置識別マーク付きの容器を提供すること。【解決手段】  取り外し自在な計量キャップ４が容器本体１の注出口部２のノズルキャップ３にネジ形式で螺着された容器において、前記取り外し自在な計量キャップ４と容器本体１側を構成するノズルキャップ３に一対の位置識別マーク５，６を形成し、前記取り外し自在な計量キャップ４が適性な締め付けトルクで螺着されているとき、上下一対の位置識別マーク５，６の位置が一致するように設定した。また、一対の位置識別マーク５，６のうち、一方の識別マーク６のキャップ回転方向に沿ったマーク幅を、設計上許容される適正な締め付けトルク範囲を表示する寸法幅とした。また、一対の位置識別マーク５，６を金型による彫刻あるいは印刷装置によるインク印刷によって形成した。【選択図】      図１
2005187031.tif 000002
【特許請求の範囲】
【請求項１】
取り外し自在なキャップが容器本体の注出口部にネジ形式で直接または間接的に螺着された容器において、前記取り外し自在なキャップ側と容器本体側に一対の位置識別マークを形成し、前記取り外し自在なキャップが適性な締め付けトルクで螺着されているとき、前記上下一対の位置識別マークの位置が一致するように設定したことを特徴とする位置識別マーク付き容器。
【請求項２】
前記一対の位置識別マークのうち、いずれか一方の識別マークのキャップ回転方向に沿ったマーク幅を、設計上許容される適正な締め付けトルク範囲を表示する寸法幅としたことを特徴とする請求項１記載の位置識別マーク付き容器。
【請求項３】
前記一対の位置識別マークが金型による彫刻あるいは印刷装置によるインク印刷によって形成されていることを特徴とする請求項１または２記載の位置識別マーク付き容器。
【発明の詳細な説明】
【技術分野】
【０００１】
本発明は、キャップの締まり具合を目視で簡単に識別することができる位置識別マーク付きの容器に関する。
【背景技術】
【０００２】
例えば、柔軟剤や芳香剤などの商品においては、客が商品を購入する前に店頭でキャップを回して開け、どのような香りか確認するようなことが往々にして見られる。このような場合にキャップをきちんと元の状態まで締め戻してくれれば問題ないが、締め忘れたり、締め戻しが甘かったりすると、内容物が漏れることがある。このため、本人あるいは他の客が商品をレジに持って行くまでの間、あるいは自宅に帰り着くまでの間に衣服を汚してしまったり、一緒に袋に入れておいた他の品物を汚してしまったりすることがあった。
【０００３】
このような理由から、工場における商品製造ラインにおいては勿論のこと、上記のように店頭で客がキャップを開けた場合でも、容器を一瞥するだけでキャップの締まり具合を簡単に識別することができ、上記のような問題が起こる前にキャップを閉め戻すことができるような機能を備えた容器が要望されている。
【０００４】
従来、キャップ部分に何らかの機能を付与した容器としては、次のようなものが知られている。
（１）特許文献１（特開２００１−３２８６６３号公報）
円周方向の所望位置に、金属面の凹凸による識別マークを施した缶蓋が示されているが、この識別マークは容器の製造工場や製造ラインを識別するためのものであって、蓋の締まり具合を識別するためのものではない。
【０００５】
（２）特許文献２（特開２０００−２１９２６１号公報）
キャップ上面部内面の中央部に、平面形状パターンが少なくとも回転円形パターンでない突起状または凹陥状の位置決め部を設けた筒状キャップが示されている。この突起状または凹陥状の位置決め部は、筒状キャップに内容物の銘柄や装飾絵柄などを表示する際に、表示を必要とする所定のキャップ面を迅速に位置決めするためのものであり、キャップの締まり具合を識別するためのものではない。
【０００６】
（３）特許文献３（特開２０００−１５９２４７号公報）
容器口部下端の肩壁段部に一対のキャップ位置決め部材を配設し、一方のキャップ位置決め部材のストッパーを延長し、その延長部を印刷用位置合わせマークとするとともに、印刷用位置合わせ治具のキャップ位置決め部材のためのストッパーとして兼用したプラスチック容器が示されているが、いずれの部分もキャップの締まり具合を識別するためのものではない。
【０００７】
【特許文献１】特開２００１−３２８６６３号公報（全頁、全図）
【特許文献２】特開２０００−２１９２６１号公報（全頁、全図）
【特許文献３】特開２０００−１５９２４７号公報（全頁、全図）
【発明の開示】
【発明が解決しようとする課題】
【０００８】
本発明は、キャップの適正な締め付け状態を目視によって簡単に識別することのできる位置識別マーク付きの容器を提供することを目的とするものである。
【課題を解決するための手段】
【０００９】
上記目的を達成するため、本発明は、取り外し自在なキャップが容器本体の注出口部にネジ形式で直接または間接的に螺着された容器において、前記取り外し自在なキャップ側と容器本体側に一対の位置識別マークを形成し、前記取り外し自在なキャップが適性な締め付けトルクで螺着されているとき、前記一対の位置識別マークの位置が一致するように設定したものである。なお、前記一対の位置識別マークのうち、いずれか一方の識別マークのキャップ回転方向に沿ったマーク幅を、設計上許容される適正な締め付けトルク範囲を表示する寸法幅とすることが好ましい。また、前記一対の位置識別マークは、金型による彫刻あるいは印刷装置によるインク印刷によって形成することが好ましい。
【発明の効果】
【００１０】
本発明の位置識別マーク付き容器によれば、容器本体側と取り外し自在なキャップ側に形成した一対の位置識別マークの位置関係を見るだけで、目視によってキャップが適正なトルクで締め付けられているか否かを簡単に識別することができる。そのため、例えば店頭でキャップが開封されたような場合でも、店頭やレジ゛においてその場でキャップの開封状態の確認が可能であり、従来問題となっていたキャップ開封による液漏れ事故を防止することができる。
【発明を実施するための最良の形態】
【００１１】
以下、本発明の実施の形態について図面を参照して説明する。
図１に、第１の実施の形態を示す。この第１の実施の形態は、計量キャップ付き容器に本発明を適用した場合の例を示すもので、（ａ）は容器本体とキャップ部分の正面図、（ｂ）は容器本体とキャップ部分の一部拡大断面図である。
【００１２】
図において、１は容器本体、２は容器本体１の注出口部、３は注出口部２に螺着固定されたノズルキャップ、４はノズルキャップ３に着脱自在に螺着された計量キャップである。ノズルキャップ３は、キャップ内周面に形成した雌ねじ３ａによって注出口部２の外周面の雄ねじ２ａに簡単に取り外しできない程度に強固に螺着されているとともに、ノズル３ｂから垂下する嵌合用スカート３ｃが注出口部２内に入り込み、ノズルキャップ３と注出口部２の間を水密にシールしている。
【００１３】
計量キャップ４は、その内部に計量筒４ａを備えている。そして、計量キャップ内周面に形成された雌ねじ４ｂによってノズルキャップ３のノズル外周面に形成された雄ねじ３ｄに取り外し自在に螺着されているとともに、計量キャップ天面から垂下するスカート４ｃがノズル３ｂの先端内部に入り込み、計量キャップ４とノズル３ｂの間を水密にシールしている。
【００１４】
第１の実施の形態は、上記構造になる計量キャップ付き容器において、容器本体１と一体とされた固定側たるノズルキャップ３の外周上縁部に、棒状の位置識別マーク５を金型彫刻処理によって形成するとともに、取り外し自在な計量キャップ４の外周下縁部には、前記位置識別マーク５と対向する位置に幅広の位置識別マーク６を金型彫刻処理によって形成したものである。
【００１５】
前記２つの位置識別マーク５，６は、次のような関係に設定されている。すなわち、計量キャップ４を設計上規定された適正なトルク範囲内の力で締め付けて螺着したときに、両者の位置が上下で重なるように設定されている。さらに、この第１の実施の形態の場合、計量キャップ４側に形成された幅広の位置識別マーク６は、キャップ回転方向に沿ったマーク幅を前記設計上許容された適正な締め付けトルク範囲を表示するような寸法幅とされている。
【００１６】
上下一対の位置識別マーク５，６を上記のような関係に設定すると、両者の位置が上下で重なっている場合には、計量キャップ４は規定通りの適正なトルクで締め付けられており、内容液の液漏れを起こすおそれがないことを示している。一方、両者の位置が上下で重なっていない場合には、計量キャップ４は規定通りの適正なトルクで締め付けられておらず、内容液の液漏れを起こすおそれがあることを示している。このため、この上下一対の位置識別マークの重なり状態を見るだけで、目視によってキャップが適正なトルクで締め付けられているか否かを簡単に識別することができる。
【００１７】
したがって、容器本体側と取り外し自在なキャップ側に形成された一対の位置識別マークの位置関係を見るだけで、目視によってキャップが適正なトルクで締め付けられているか否かを簡単に識別することができる。このため、例えば店頭でキャップが開封されたような場合でも、店頭やレジ゛においてその場でキャップの開封状態を確認することができ、従来問題となっていたキャップ開封による液漏れ事故を防止することができる。
【００１８】
なお、前記上下一対の位置識別マーク５，６は、図示した表側位置だけでなく丁度１８０°反対の裏側位置にも同じように設けることが望ましい。このように表裏両面に設けることにより、容器の表裏どちら側からでもキャップの締め付け状態を確認することができ、例えば位置識別マークを見るために店頭の陳列台上に飾られた容器をいちいち回してみる必要がなくなり、キャップの締め付け状態の確認がより簡単となる。
【００１９】
また、図１の例では、容器本体側たるノズルキャップ３に棒状の位置識別マーク５を設けるとともに、取り外し自在な計量キャップ４に適正な締め付けトルク範囲を示す幅広の位置識別マーク６を形成したが、これとは逆に、容器本体側たるノズルキャップ３に幅広の位置識別マーク６を形成し、取り外し自在な計量キャップ４に棒状の位置識別マーク５を形成してもよいものである。
【００２０】
また、前記第１の実施の形態は、位置識別マーク５，６を金型による彫刻によって形成したが、これに換えて、いずれか一方あるいは両方を印刷装置によるインク印刷によって形成するようにしてもよいものである。
【００２１】
図２に、第２の実施の形態を示す。
この第２の実施の形態は、前記第１の実施の形態（図１）と同様の構造になる計量キャップ付き容器において、ノズルキャップ３側に矢印形状をした位置識別マーク１５を形成するとともに、計量キャップ４側に適正な締め付けトルク範囲を示す幅広の位置識別マーク１６を形成したものである。なお、他の部分の構成は図１と同様であるので、その詳細は省略する。また、位置識別マーク１５，１６の形成も、第１の実施の形態と同様、金型による彫刻あるいは印刷装置によるインク印刷のいずれによってもよいものである。
【００２２】
図３に、第３の実施の形態を示す。
この第３の実施の形態は、前記第１の実施の形態（図１）と同様の構造になる計量キャップ付き容器において、ノズルキャップ３側に適正な締め付けトルク範囲を示す幅広の位置識別マーク２５を形成するとともに、計量キャップ４側に矢印形状をした位置識別マーク２６を形成したものである。なお、他の部分の構成は図１と同様であるので、その詳細は省略する。また、位置識別マーク２５，２６の形成も、第１の実施の形態と同様、金型による彫刻あるいは印刷装置によるインク印刷のいずれによってもよいものである。
【００２３】
図４に、第４の実施の形態を示す。
この第４の実施の形態は、前記第１の実施の形態（図１）と同様の構造になる計量キャップ付き容器において、ノズルキャップ３側に２本の線３５ａ、３５ｂによって適正な締め付けトルク範囲を示す幅広の位置識別マーク３５を形成するとともに、計量キャップ４側に線状の位置識別マーク３６を形成したものである。なお、他の部分の構成は図１と同様であるので、その詳細は省略する。また、位置識別マーク３５，３６の形成も、第１の実施の形態と同様、金型による彫刻あるいは印刷装置によるインク印刷のいずれによってもよいものである。
【００２４】
図５に、第５の実施の形態を示す。
この第５の実施の形態は、前記第１の実施の形態（図１）と同様の構造になる計量キャップ付き容器において、ノズルキャップ３側に線状の位置識別マーク４５を形成するとともに、計量キャップ４側にも線状の位置識別マーク４６を形成したものである。なお、他の部分の構成は図１と同様であるので、その詳細は省略する。また、位置識別マーク４５，４６の形成も、第１の実施の形態と同様、金型による彫刻あるいは印刷装置によるインク印刷のいずれによってもよいものである。
【００２５】
図６に、第６の実施の形態を示す。
この第６の実施の形態は、前記第１の実施の形態（図１）と同様の構造になる計量キャップ付き容器において、ノズルキャップ３側に三角形状をした位置識別マーク５５を形成するとともに、計量キャップ４側にも三角形状をした位置識別マーク５６を形成したものである。なお、他の部分の構成は図１と同様であるので、その詳細は省略する。また、位置識別マーク５５，５６の形成も、第１の実施の形態と同様、金型による彫刻あるいは印刷装置によるインク印刷のいずれによってもよいものである。
【００２６】
上記各実施の形態は、本発明を計量キャップ付き容器に適用した場合の例について示したが、本発明はこのような計量キャップ付き容器にのみ限定されるものではなく、容器本体の注出口部にキャップをねじ形式で直接または間接的に螺着して密封する容器全般に適用できるものである。
【００２７】
取り外し自在なキャップが直接注出口部に螺着された容器の場合には、一方の位置識別マークは取り外し自在なキャップに形成し、これと対になる他方の位置識別マークは容器本体の適宜位置に直接形成すればよい。また、前記実施の形態のように、取り外し自在な計量キャップなどがノズルキャップなどを介して間接的に注出口部に螺着された容器の場合には、一方の位置識別マークは取り外し自在なキャップ側に形成し、これと対になる他方の位置識別マークは容器本体側、すなわち容器本体自体かまたは容器本体と一体化されたノズルキャップのいずれかの適宜位置に形成すればよい。
【図面の簡単な説明】
【００２８】
【図１】本発明に係る位置識別マーク付き容器の第１の実施の形態を示すもので、（ａ）は容器本体とキャップ部分の正面図、（ｂ）は容器本体とキャップ部分の一部拡大断面図である。
【図２】本発明に係る位置識別マーク付き容器の第２の実施の形態を示すもので、容器本体とキャップ部分の正面図である。
【図３】本発明に係る位置識別マーク付き容器の第３の実施の形態を示すもので、容器本体とキャップ部分の正面図である。
【図４】本発明に係る位置識別マーク付き容器の第４の実施の形態を示すもので、容器本体とキャップ部分の正面図である。
【図５】本発明に係る位置識別マーク付き容器の第５の実施の形態を示すもので、容器本体とキャップ部分の正面図である。
【図６】本発明に係る位置識別マーク付き容器の第６の実施の形態を示すもので、容器本体とキャップ部分の正面図である。
【符号の説明】
【００２９】
１    容器本体
２    注出口部
３    ノズルキャップ
４    計量キャップ
５、６  一対の位置識別マーク
１５，１６  一対の位置識別マーク
２５，２６  一対の位置識別マーク
３５，３６  一対の位置識別マーク
３５ａ，ｂ  ２本の線
４５，４６  一対の位置識別マーク
５５，５６  一対の位置識別マーク
【図１】
2005187031.tif 000003
【図２】
2005187031.tif 000004
【図３】
2005187031.tif 000005
【図４】
2005187031.tif 000006
【図５】
2005187031.tif 000007
【図６】
2005187031.tif 000008